(57)【要約】【課題】男性器とその周辺皮膚との直接接触を避ける男性用パンツで、従来品の外観デザインを変えず、換気を促して衛生的で、製作上簡単で、装着簡便性、フィッティング性、洗浄性良好で、既成パンツへの付加も簡単で、男性器の自然懸架によって保健に寄与し、感触嗜好の楽しめるような男性用フレキシブルパンツ。加えて、その総合的な改善によって、特殊な下着パンツではなく、男性用下着パンツの基本的進化として一般化できるような男性用フレキシブルパンツ。【解決手段】男性器とその周辺の皮膚との間に介在させる布で、縦割れ対２辺或いはＶ状辺を構成して、男性用パンツの前身ごろ内側へ、上下部分のみ縫合・接着（マジックテープ等による着脱式接着を含む）し、縦割れ布或いはＶ状布の左右側を開放して設置し、男性器根元との接辺は、その縦割れ対２辺或いはＶ状辺によってフレキシブルに行い、換気を促し、フィッティング性を良好に保つ。【選択図】図４2005264414.tif 000003
2005264414.tif 000002
【特許請求の範囲】
【請求項１】
男性用下着パンツの前身ごろの内側に、着用時に男性器とその周辺の皮膚との間に布を介在させ感触的及び保健衛生的に改善を目的とするもので、その布の形状と設置に関し、縦割れ対２辺（多重辺による対２辺を含む、以下同じ）を構成した縦割布（図１）を、左右側面を開放して上下部分のみを縫合或いは接着（ボタン或いはマジックテープ等での着脱式接着含む、以下同じ）じ（図２）、男性器根元との接辺は、その縦割れ辺によって行う男性用フレキシブル下着パンツ、及びパンツ類一般に対してその目的を持って付加する縦割布。
【請求項２】
上記と同目的で、その設置する布の形状と設置に関し、Ｖ状辺（多重辺によるＶ状辺を含む、以下同じ）を構成した布（図３）を、左右及び上側面を開放して上下部分のみを縫合或いは接着し（図４）、男性器根元との接辺は、そのＶ状辺によって行う男性用フレキシブル下着パンツ、及びパンツ類一般に対してその目的を持って付加するＶ状布。
【発明の詳細な説明】
【技術分野】
【０００１】  本件は衣料分野の、男性器がその周辺の皮膚に直接に接しないため、布介在の方策を講じる男性用パンツに関する。
【背景技術】
【０００２】  一般に、トランクス及びブリーフ等の男性用下着パンツの着用に於いて、歩行中等以外の通常は、男性器がその周辺の皮膚に直接に接して通気性に難あり、長時間座姿勢等によるその長時間密着は皮膚の呼吸を妨げて衛生上問題あり不快感もある。
特に陰嚢が哺乳動物への進化の中で、体外に出た目的である男性器の熱と分泌物の発散を妨げることは、男性器の健康上良いはずがなく、雑菌繁殖の温床ともなり、人体で最も不衛生対策の必要な部位となっている。【０００３】  その故に今まで色々と、男性器とその周辺の皮膚との直接接触を避ける男性用下着パンツの、特許及び実用新案の出願が多々なされ公開されてきたし、一部その登録もなされてきた。
高価で特殊な男性用下着パンツとしては、その商品例があっても、今尚それぞれ、外観デザイン難、通気性難、製作複雑、装着不便、フィッティング難、洗浄難等、いずれかに多々問題があり、普及の一般化とその故の大量生産には至っていない。
出願が多量のため、それぞれの内容に個々に具体的に取り上げられないが、基本的な問題点を私なりに指摘すると、概ね、男性器を、男性用下着パンツの内部に設置した窓穴に挿入か、或いは袋状、ポケット状、囲い状のものに納め包摂する方式であって、通風に難があり、陰嚢の抱え支持をも目的としてむしろ問題がある。装着の際の男性器の収納に多少の意識と動作が必要で、その収納包摂故にフレキシブル性が無く、活動中や着崩時の身体へのフィッティングにも難がある。【０００４】  形態の最も近似の例として『特開２００２−１３０３１０号  男性用トランクス型パンツ』『実登３０８０５９３号  男性用パンツ』があるが、これらは男性器に見合った小さな所謂縦割れ式固定窓であって、上辺からの手の挿入による男性器始末の容易性、身体差や動作中着崩れ等の上下左右の移動に対するフレキシブル性、男性器根元と布辺底点との接圧に関わるフィッティング性等については、それぞれ難多く、本件とはその性能も考え方も根本的に異なる。
【発明が解決しようとする課題】
【０００５】  男性器とその周辺皮膚との直接接触を避けるもので、デザインに難がなく、衛生的で製作簡単で、装着容易で、フィッティング良好で、洗浄性の悪くないもので、感触嗜好の楽しめるような男性用下着パンツ、加えて総合的な改善によって、特殊ではなく一般化できるような男性用下着パンツの出現が理想であった。
【０００６】  基本的課題として、男性器の放熱と分泌物発散のために、局部の衛生的吸湿と換気を優先して行うべきことがある。可能な限り開放的な雰囲気の中で、男性器と周辺皮膚との間に布を介在させ、男性器を非固定のまま皮膚との直接接触を避け、吸湿と換気に寄与するものが必要である。又、人間の諸動作を前提にしたフレキシブルなフィッティングも欠かすことができない。
加えて、着用する人の心理に配慮した外観デザインであることと、装着簡便であることが望まれる。
【０００７】  本件は、男性用下着パンツに、男性器がその周辺の皮膚に直接に接しないための方策を講じて、
１  従来の型の男性用下着パンツの外観デザインを変更しないもの、
２  男性器を固定せず、局部の換気を促して衛生的により有効なもの、
３  陰嚢の自由懸架により、男性器自体の健全化に寄与するもの、
４  製作作業が、従来品への単純付加で容易なもの、
５  装着が、従来一般品とほとんど変わらず簡単容易なもの，
６  フィッティングがフレキシブルで、身体の諸動作に対しても着用具合が好適なもの、
７  洗濯機利用等の洗浄と乾燥について、従来品より負担を増加させないもの、
８  従来品に無かった、着用時に局部の布の感触嗜好を楽しむことができるもの、
９  従来既製品への付加が簡単なもの
１０  下着以外の全般的な男性用パンツにも採用して、下着パンツを省略できるもの、等々を総合的に提供することを課題とする。
【０００８】  加えて、単に、男性器がその周辺の皮膚に直接に接しないための、少量生産で一部の人が用いる特殊で高価な男性用下着パンツではなく、上記の課題（１〜１０）の総合的解決による消費面と生産面とでの総合的価値の効果により、一般的な男性用下着パンツ自体の基本的進化として、消費一般化と大量生産を図り得ることをも課題とする。
【課題を解決するための手段】
【０００９】  本件の男性用下着パンツは、トランクス及びブリーフ等の前身ごろの内側に、布を配置してその中央に設けた布辺を、着用時に男性器とその周辺の皮膚との間に介在させ、男性器と周辺皮膚との直接接触を避けて、感触的衛生的に改善を図るものに於いて、その布の形状及び設置に関するものである。
【００１０】  男性用下着パンツの前身ごろ内側へ設置し、男性器とその周辺の皮膚との間に介在させる布について、その布辺の形状を、２枚の布を並べるか少し重ねて縦割れ対２辺を構成（図１ａ，ｂ）し、或いは１枚の布を折り曲げるか２枚の布で布辺をＶ状に構成（図３ａ，ｂ）して、尚又、そのＶ状辺の場合はその底点を縫合接着等せず可変式にして、男性器根元との接辺は、そのフレキシブルな縦割れ対２辺或いはＶ状辺によって行う。
尚、上記の縦割れ対２辺及びＶ状辺は、各１辺でなく各数辺とすることも可である。
上記の布の設置について、縦割布の場合は、左右側を開放し、対２辺は上下に長く設定する。Ｖ状布の場合は、左右上側に出来る限り広く開放して設定する。そのため縫合もしくは接着は上下部分のみとする。
尚又、身体差に見合ったより良いフィッティングの調整を本人が行えるように、その上部分の接着はマジックテープ等の位置可変可能な接着にする。
【発明を実施するための最良の形態】
【００１１】  以下、図面に基ずいて基本例を説明する。
図１は、従来の男性用下着パンツに、外観デザインを変更しないよう前身ごろの内側に設置する布で、２枚の布によって縦割れ対２辺を構成した縦割布で、並べて対２辺としたもの（図１ａ），少し重ねて対２辺としたもの（図１ｂ，）である。
図２は、１例として、並べて対２辺とした縦割布を、従来の男性用下着パンツの前身ごろ内側に、左右側面を開放して上下部分のみを縫合・接着したものである。【００１２】  図３は、同じく前身ごろの内側に設置する布で、１枚の布によりＶ状辺を構成したＶ状布（図３ａ）、或いは１枚の布の折り曲げか２枚の布の１部を重ねてＶ状辺を構成したＶ状布（図３ｂ）である。
図４は、１例として、２枚の布の１部を重ねてＶ状辺を構成したＶ状布を、上記同様に上下部分のみ縫合・接着したものである。【００１３】  縦割布およびＶ状布による布辺部は多辺にすることも可能である。また、縦割れ辺およびＶ状辺については、直線に限らず湾曲辺とし、着脱容易性或いは着用好適性のより良い向上を図ることも可能である。
【実施例】
【００１４】  男性用下着パンツ前身ごろ内側に本件の縦割れ辺或いはＶ状辺を設置し、そのパンツ装着の際は、男性器と周辺皮膚との直接接触をさけるため、その間に男性器根元を左右から挟むようにして（図５ｂ）、或いはＶ状に挟むようにして（図５ｃ）介在させ着用する。【００１５】  本人の手の随時の挿入は必須であり、その時は、身体と縦割布或いはＶ状布の間は当然挿入可能であるが、縦割布の場合、パンツ前身ごろと縦割布の間にも、上下部分以外を縫合等せずに開放してある布の左右側面から片手或いは両手を挿入する。Ｖ状布の場合、パンツ前身ごろとＶ状布の間にも、上記左右側面に加えて上面からも片手或いは両手を挿入する。
尚又、その上部分は縫合でなく接着をマジックテープ等の位置可変式接着にしてある場合、人体差に見合ったより良いフィッティングの調整を本人が行う。【００１６】  その縦割れ対２辺（図５ｂ）、或いはＶ状辺（図５ｃ）については、２辺以上の布辺を構成したり、布の切片ではなく折り曲げ面を利用したり、或いは吸湿性の軟布或いは起毛布を、またニット等弾性のある布を採用することはより理想的である。
【発明の効果】
【００１７】  男性用パンツ前身ごろ内側への、縦割布或いはＶ状布の、上下部分のみの縫合・接着の効果としてもたらされるパンツの着脱容易性、着用時のフレキシブル性とフィッティング性、製作上の容易性、既成パンツへの付加の可能性等は、下記するようにさまざまな２次的効果をももたらす。一次的効果、２次的効果ともに詳細説明を下記する。
【００１８】  本件の前身ごろ内側への縦割布或いはＶ状布の付加は、男性用下着パンツ製作上簡単な付加作業である。
従来品との外観デザインを全く変更しないことは、着用者の心理に、抵抗感を抱かせない。
縦割布およびＶ状布は、現状のトランクス或いはブリーフ等の既成下着パンツに簡単に付加することも出来る。尚又、下着以外の全般的なパンツ類の局部に縦割布およびＶ状布を付加することで、その吸湿換気により、下着パンツを省略することもできる。
【００１９】  縦割布の場合に縫合或いは接着を上下部分のみとし左右の側面を開放することは、そしてＶ状布の場合に上面も開放することは、通気性改善、及び洗濯時の洗浄と乾燥の負担を増加させず、衛生上貴重である。
本人の手の挿入が簡単で可能なものとすることは、男性器の陰茎と陰嚢を左右に分けて始末するのは装着時は常のことであり、縦割布の場合Ｖ状布の場合ともに、下着パンツの装着を容易とすることができる。その他着用中に手の挿入が必要なときが度々あることもあり、その都度、容易であることが必須とも言えるものである。
Ｖ状布の場合は上方向開放のＶ状辺故に、従来の下着パンツ着脱との差をほとんどなくすことができる。
【００２０】  人間の身体運動の負担は地球引力に対する上下が基本であるために、縦割布（図１）の場合、男性器の根元と介在する布との接点が左右からの側辺接触のため、その接圧はほとんどなく、人体動作に対して、上下左右に全くのフレキシブルである。
図５によって、上向き湾曲１辺支持（図５ａ）よりも、縦割り布による縦湾曲２辺支持（図５ｂ）の方が、接点の接圧が抜本的解消と言えるほどに軽減することを概念図によって示す。同じく図５によって、上向き湾曲１辺（図５ａ）よりも、Ｖ状湾曲２辺（図５ｃ）の方が、その接点の接圧が２分され軽減することを概念図によって示す。
尚又、Ｖ辺の底点は縫合等せずに非固定にすれば、固定Ｖ状辺の場合よりも、男性器の根元の接点がより大きくフレキシブルになり、その接圧が抜本的解消と言えるほどに軽減する。又、そのことによってＶ辺の上方向の開きをより大きくでき、下着パンツの着脱について、従来の下着パンツ着脱との差を、ほとんどなくすことができる。
【００２１】  人間の体型上の男性器の位置は、人それぞれの顔のように、微妙に異なると言われている。又、人間の身体動作は就寝中も含め常時起こっていると言えるしその動作中に下着パンツとの位置関係が微妙に、場合によっては大きく変動もする。加えて、衣類着用中に諸原因で着崩れが起こることは、下着パンツに於いても同じである。
本件のフレキシブル性はそれらに有効に対応できる。
身体上の男性器根元の位置の上下の違いや、動作中の上下移動や、下着パンツの上下ずれに於ける縦割り布の場合の対応（図６ａ、図６ｂ）、その左右の移動やずれに於ける対応（図６ａ、ｃ）を概念図によって示す。同じく、Ｖ状布（図３）の場合の対応（図７ａ、図７ｂ、図７ｃ）を概念図によって示す
【００２２】  縦割布、及びＶ状布のパンツへの接着について、それぞれの上部をマジックテープ等の位置調整可能な接着とすることによって、各布辺の疲労や各人体差に見合ったフィッティングの調整を、本人がより良く行うことができる。
【００２３】  縦割布或いはＶ状布によりもたらされるフレキシブル性は、それぞれ接点の接圧をほぼ解消し、下着パンツのフィッティング感を格段に向上させるとともに、加えて、貴重な男性器周辺の換気を促す。又加えて、スポーツ等強度の身体運動以外の常時は、陰嚢の包摂よりも、陰嚢の自由懸垂を出来るだけ保つことは、換気だけでなく適度の動刺激もあり、自然態様に近く、男性器の保健上にも寄与する。
【００２４】  縦割れ辺及びＶ状辺は、通気性の良い柔軟な布辺が、又、それぞれの辺は切片でなく折辺が理想的である。好みによって起毛布、絹布等によって感触を楽しむことによる嗜好性向上も可能とする。或いは今後開発されるハイテク布による新たな効果も期待できる。
【図面の簡単な説明】
【００２５】
【図１】縦割れ対２辺を構成した２枚の布で、ａは対２辺を合わせた縦割布。ｂは対２辺を少し重ねた縦割布。
【図２】下着パンツ前身ごろ内側に、対２辺を合わせた縦割布の上下部分のみを縫合・接着した内面からの想定図。
【図３】Ｖ状辺を構成した布で、ａは１枚の布によるＶ状布。ｂは１枚の折り曲げもしくは２枚の１部重ねによるＶ状布。
【図４】下着パンツ前身ごろ内側に、２枚の１部重ねによるＶ状布の上下部分のみを縫合・接着した内面からの想定図。
【図５】男性器根元との接圧態様を示す内面からの概念図。ａは横１辺の場合。ｂは縦割れ対２辺の場合。ｃはＶ状２辺による場合。
【図６】縦割れ対２辺による場合のフレキシブル態様を示す内面からの概念図。ａ、ｂによって上下の対応を示し、ａ、ｃによって左右の対応を示す。
【図７】Ｖ状辺による場合のフレキシブル態様を示す内面からの概念図。ａ、ｂによって上下の対応を示し、ａ、ｃによって左右の対応を示す。
【符号の説明】
【００２６】１、縫合或いは接着
２、パンツ前開閉窓
３、男性器根元
４、上向き辺
５、縦割れ対２辺
６、Ｖ状辺
【図１】
2005264414.tif 000004
【図２】
2005264414.tif 000005
【図３】
2005264414.tif 000006
【図４】
2005264414.tif 000007
【図５】
2005264414.tif 000008
【図６】
2005264414.tif 000009
【図７】
2005264414.tif 000010